(57)【特許請求の範囲】
【請求項１】
筒状テープを介して生地に取り付けられた芯材によって、外形に一定の保形性が付与された芯材入衣料において、上記筒状テープが、高収縮糸を未収縮の状態で編成し加熱もしくは薬品処理により収縮させて編み目を緻密化したものであり、かつその長手方向に沿う中央部が中空の筒状に形成され、その長手方向に沿う両縁部がみみ部に形成されており、この筒状テープの内側に芯材を挿通した状態で、上記筒状テープのみみ部と生地とが、ミシン掛けによって縫合一体化されていることを特徴とする芯材入衣料。
【請求項２】
上記筒状テープとして、収縮率が４０〜９５％の高収縮糸で編成され、上記筒状中央部の表側が二重編みで形成され、同じく裏側が一重編みで形成されているものが用いられている請求項１記載の芯材入衣料。
【請求項３】
上記筒状テープの二重編み部分が、２列に配列されたニードルによる二重のたて編みによって形成され、一重編み部分が、上記２列のニードルに対設された１列のニードルによる一重のたて編みによって形成され、上記２種類のたて編み部が、互いの両端部において緯挿入糸により連結されて所定幅だけみみ部に形成され、その内側の中央部が筒状となるよう編み立てられている請求項２記載の芯材入衣料。
【請求項４】
上記筒状テープの一重編み部分を構成する緯挿入糸として、収縮率が４０〜９５％の高収縮糸を芯糸とし収縮率が０〜２０％の低収縮糸を装飾糸とするファンシー・ヤーンが用いられ、上記ファンシー・ヤーンの装飾糸と他の糸との収縮差によって、一重編み部分の表面に、装飾糸からなるループパイルが形成されている請求項３記載の芯材入衣料。
【請求項５】
上記一重編み部分の表面が起毛されている請求項４記載の芯材入衣料。
【請求項６】
請求項１〜５のいずれか一項に記載の筒状テープにおいて、各カップの下縁部に縫合される部分が、予め円弧状に曲成された状態で縫合されていることを特徴とする芯材入衣料。
【発明の詳細な説明】
【０００１】
【発明の属する技術分野】
本発明は、芯材によって一定の保形性が与えられている芯材入衣料に関するものである。
【０００２】
【従来の技術】
従来から、ブラジャーやオールインワン、ボディスーツといった体型を整えるための下着には、その効果を高めるために、ワイヤ，鯨の髭，プラスチック等の弾性体を芯材として部分的に用いることが多い。例えば、ブラジャーでは、図１０に示すように、左右のカップ１の下縁部に、円弧状のワイヤ２８を縫い込んでカップ１を下から持ち上げるようにして胸の形を整えるタイプのものが広く出回っている。
【０００３】
また、体型を整える以外に、医療用のコルセットや、スポーツ用のプロテクター付衣料等、各種の芯材入衣料が様々な分野において使用されている。
【０００４】
これらの芯材入衣料において、芯材を衣料に縫い込むには、通常、細い筒状のテープに芯材を挿通し、生地の縫製時に、上記筒状テープを裏側から当てて生地に縫合することが行われている。上記筒状テープとしては、通常、パイル生地とトリコットまたはタフタ生地を重ねてその縁部をミシン掛けして二重筒状にしたものが用いられている。なお、この二重筒は、内側にトリコットまたはタフタ生地、外側にパイル生地がくるようになっている。
【０００５】
【発明が解決しようとする課題】
しかしながら、上記筒状テープは、筒状に縫製するのに多大な労力を要するという問題がある。また、内側生地と外側生地とが片側縁部でしか縫着されておらず、二重の輪がフリーの状態で存在するため、芯材の挿入作業において、芯材を適正な中空部に通すことが難しく、極めて作業能率が悪いという問題もある。さらに、上記二重筒状のテープは、ミシン掛けされた縁部が分厚く盛り上がる（縫い代部が内側に折り込まれている）ため、ごろごろして着用感が悪くなる。
【０００６】
また、上記筒状テープ自身の縫製や芯材の挿入作業に手間を要するだけでなく、筒状テープ内に芯材を挿入した状態で生地部分と縫合する際、筒状テープ全体が盛り上がるため、その縁部にミシンを掛けて生地に縫合する作業が困難であるという問題もある。したがって、空の筒状テープのみを先に生地部分と縫合し、後から芯材を筒状テープ内に挿通して端部開口を処理しなければならない場合もあり、一層の手間を要する。
【０００７】
本発明は、このような事情に鑑みなされたもので、縫製が簡単で外観的にも優れた芯材入衣料の提供をその目的とする。
【０００８】
【課題を解決するための手段】
上記の目的を達成するため、本発明は、筒状テープを介して生地に取り付けられた芯材によって、外形に一定の保形性が付与された芯材入衣料において、上記筒状テープが、高収縮糸を未収縮の状態で編成し加熱もしくは薬品処理により収縮させて編み目を緻密化したものであり、かつその長手方向に沿う中央部が中空の筒状に形成され、その長手方向に沿う両縁部がみみ部に形成されており、この筒状テープの内側に芯材を挿通した状態で、上記筒状テープのみみ部と生地とが、ミシン掛けによって縫合一体化されている芯材入衣料を第１の要旨とする。
【０００９】
また、上記筒状テープにおいて、各カップの下縁部に縫合される部分が、予め円弧状に曲成された状態で縫合されている芯材入衣料を第２の要旨とする。
【００１０】
【発明の実施の形態】
つぎに、本発明の実施の形態を説明する。
【００１１】
図１は、本発明の一実施の形態であるオールインワンを示している。このものは、通常のオールインワンと同様、乳房を被覆するための左右一対のカップ１と、胴体を形よく締付けるためのウエスト・ニッパー部２とを備えており、上記左右のカップ１の下縁部に沿う円弧状部分と、体側部を上下方向に延びる四個所の緩やかな曲線部分に、それぞれ筒状テープ４が縫合されている。そして、各筒状テープ４の内側には、体型矯正用の芯材（金属ワイヤ等）が挿通されている。
【００１２】
上記筒状テープ４としては、高収縮糸を未収縮の状態で編成し加熱もしくは薬品処理により収縮させて編み目を緻密化してなるものを用いる必要がある。すなわち、このような筒状テープ４は、従来の筒状テープのように、ミシン掛けによって筒状に形成されたものではないため、製法的に優れているのみならず、着用感および見栄えに優れており、衣料（この場合、オールインワン）の目立つ個所に多用しても支障がない。そして、編み目が緻密になっているため、芯材を挿入した部分において、長期にわたって芯材を良好に保護することができる。しかも、芯材の肌への当たりが柔らかで良好である。
【００１３】
そして、上記筒状テープ４は、図２に示すように、テープ４の長手方向に沿う中央部５が中空の筒状に形成され、テープ４の長手方向に沿う両縁部６がみみ部に形成されていなければならない。すなわち、図３に示すように、筒状中央部５に芯材３を挿通した状態で、この筒状テープ４を生地９，９′に縫合する際、筒状中央部５は芯材３の厚み分だけ膨らんで突出しても、両縁部６のみみ部は平面状態を保つため、この部分が縫い代となって、ミシン掛けが容易になるからである。これにより、筒状テープ４内に芯材３を挿通した状態で、衣料（この場合、オールインワン）の所定の位置に簡単に筒状テープ４を縫合することができる。しかも、上記みみ部が、従来のテープのように縫製によって形成された縁部ではないため、ぼこぼこ盛り上がっておらず、平面的ですっきりした外観となり見栄えがよい。
【００１４】
なお、上記筒状テープ４には、収縮率が４０〜９５％の高収縮糸を用いることが好適であり、しかも上記筒状中央部の表側を二重編みで形成し、同じく裏側を一重編みで形成することが好適である。すなわち、図２に示すように、上記筒状中央部５の表側７を二重編みで厚地にすることにより、この厚地部分が芯のような機能を有し、芯材３の挿入作業がしやすいからである。また、芯材３を挿入した筒状テープ４を用いて図１に示すオールインワンを縫製する場合に、一重編みで形成された裏側８を生地９，９′（図３参照）に対面させて縫合すると、外側に露出する表側７の二重編み部分によって内側の芯材３が充分に保護されるとともに、生地９，９′と重なる内側部分（裏側８の一重編み部分）は厚くないので着用感が向上する、という利点を有する。
【００１５】
そして、上記収縮率が４０〜９５％の高収縮糸とは、加熱もしくは薬品処理によって、長さが４０％以上縮む糸をいい、ウーリーナイロン，ナイロンＰＯＹ，ポリエステルＰＯＹ，ポリ塩化ビニル，ポリビニリデン，ポリプロピレン等からなる各種の高収縮糸があげられる。また、ナイロン，ポリエステル等を組み合わせてなるコンジュゲート糸等の高収縮糸があげられる。そして、本発明に用いる上記高収縮糸の太さは、８０〜２５０デニールのものが好適である。
【００１６】
本発明に用いる筒状テープ４は、上記高収縮糸を未収縮の状態で筒状に編み立てたのち、加熱もしくは薬品処理によって糸を収縮させ編み目を緻密化することによって得られる。上記加熱処理を行う場合の加熱温度は６０〜１２０℃程度に設定される。また、薬品処理を行う場合、薬品の種類は、高収縮糸の種類に応じて適宜のものが選択されるが、例えばシクロヘキサン等が用いられる。
【００１７】
また、上記筒状テープ４の編み立ては、たて編みによって形成することが好適である。ただし、これに用いるたて編み機において、上記二重編み部分を形成するためには、その編み針（ニードル）の配置を特殊に設定する必要がある。すなわち、図４に示すように、二重編みする部分のニードル１０を２列に配列し、対面に、対称的な向きで１列のニードル（図示を省略）を配列する。そして、上方のガイドバー２０から供給される糸を各ニードル１０によって鎖編みしていくが、このとき、各鎖目Ｑを連結するための緯挿入糸（図示せず）が同時に編み込まれる。上記緯挿入糸は、通常の一重編みの場合は、図５（ａ）の組織図においてパターン１１で示されるように波状に動いて左右の鎖目のパターン１２と交差することにより互いに独立する鎖目を連結するよう設定されているが、本発明に用いる筒状テープを編み立てる場合には、上記緯挿入糸とともに、前後に移動して前後２列の鎖目Ｑを連結する緯挿入糸が設けられる。これにより、二重編み部分が一体的に編み立てられる。
【００１８】
しかも、上記二重編みされる部分と、その向かい側で一重編みされる部分とが、その互いの両端部において、さらに異なる緯挿入糸により連結され、全体として筒状に編み立てられる。これを模式的に示すと、図５（ｂ）に示すようになる。図において、１３は紙面垂直方向に延びる鎖目、１４，１５，１６はいずれも左右の鎖目１３を連結するための緯挿入糸、１７は２列の鎖目１３を連結する緯挿入糸、１８は一重編み部分と二重編み部分とを連結して両縁部６にみみ部をつくる緯挿入糸である。そして、筒状中央部５の内側空間Ｒが、ワイヤ等の芯材３（図３参照）が挿入される部分である。
【００１９】
なお、本発明に用いる筒状テープ４を製造する場合、一重編み部分を構成する緯挿入糸として、図６に示すようなファンシー・ヤーン２１を用い、一重編み部分の編地表面に、ループパイルを形成させるようにしてもよい。すなわち、上記ファンシー・ヤーン２１を、上記一重編み部分を構成する緯挿入糸として用いると、全体が収縮して編み目が緻密化した状態で、ファンシー・ヤーン２１の装飾糸２３が、収縮した経糸と芯糸２２との間から編地表面に突出するため、一面にループパイルが形成されるのである。
【００２０】
このようにループパイルが形成されると、この一重編み部分は、通常、肌に接する側の面なので、肌に対しソフトな感触になるとともに、発汗時の吸汗性が向上するため、より優れた着用感が得られる。
【００２１】
上記ファンシー・ヤーン２１としては、収縮率が４０〜９５％の高収縮糸を芯糸２２とし、収縮率が０〜２０％の低収縮糸を装飾糸２３とするものが好適である。上記芯糸２２に用いられる高収縮糸としては、ウーリーナイロン，ナイロンＰＯＹ，ポリエステルＰＯＹ，ポリ塩化ビニル，ポリビニリデン，ポリプロピレン等からなる各種の高収縮糸があげられる。また、ナイロン，ポリエステル等を組み合わせてなるコンジュゲート糸等の高収縮糸があげられる。そして、その太さは、３０〜１４０デニールのものが好適である。
【００２２】
また、装飾糸２３に用いられる低収縮糸としては、４０〜８０番手の綿糸や３０〜１００番手のレーヨン、あるいは３０ｄ／（２４〜７５）ｆ〜１４０ｄ／（７０〜２８０）ｆのナイロンフィラメント等が好適である。
【００２３】
なお、上記ループパイルの吸汗性をより向上させるために、一重編み部分にループパイルが形成された筒状テープに対し、その一重編み部分の表面を起毛するようにしてもよい。起毛の方法としては、例えば図７に示すように、上記筒状テープ４を起毛用ロール２６に当接した状態で繰り返し走行させる方法が好適である。なお、図において２７はガイドロールである。
【００２４】
上記起毛用ロール２６としては、表面にサンドペーパーを巻いたサンド・ロールや表面に細かい金剛砂を塗布した布地を巻いたエメリー・ロール等が好適であり、筒状テープ４に当接させる起毛用ロール２６の数は、適宜に設定されるが、通常２〜１２本に設定される。そして、上記起毛用ロール２６の回転方向は、図示のように、正逆，正逆，…と交互に設定することが、起毛効果の点で好適である。
【００２５】
また、上記高収縮糸として、収縮後も伸縮性を備えた高弾性糸を用いるようにして、筒状テープ４自身が、長手方向に伸縮するようにしてもよい。上記高弾性糸としては、スパンデックス等の合繊弾性糸を芯糸とし、これに合繊フィラメントを巻き付けたカバリング糸を用いることが好適である。
【００２６】
ただし、筒状テープ４に伸縮性を与えた場合、筒状テープ４を用いる部分全体が伸縮すると、体型矯正の観点から好ましくない場合や、着用感が悪くなる場合等がある。そこで、このような場合には、筒状テープ４の伸縮性を、部分的に抑制することが好ましい。そのためには、例えば図８に示すように、筒状テープ４の、着用時に伸縮性を抑制すべき部分９ａに対し、高周波超音波照射加工を施し、この部分の繊維同士を互いに点融着させて伸縮性の抑制を行う。
【００２７】
上記高周波超音波照射加工は、例えば図９に示すような装置を用いて施すことができる。図において、Ａは、高周波超音波発振器Ｂに接続した超音波発振フォームであり、Ｃは、上記超音波発振フォームＡと調節可能な間隙Ｄを設けて固定したアルビンである。そして、このアルビンＣの表面には、上記超音波発振フォームＡから照射される超音波の集中制御を行うため任意の凹凸で構成した模様が施されている。そして、筒状テープ４のうち、点融着すべき部分９ａを、上記アルビンＣと超音波発振フォームＡとの間隙Ｄに配置して、超音波発振フォームＡから超音波の照射を行うことにより、点融着を施すことができる。
【００２８】
さらに、本発明に用いる筒状テープ４は、通常、二重編み部分が外側に露出する状態で用いられるため、この二重編み部分を構成する経糸および緯挿入糸に、部分的に光沢糸を用いて模様が浮き出るようにすることにより、筒状テープに装飾性を付加することができる。上記光沢糸としては、例えばナイロン，レーヨン等の異形断面糸等が好適である。
【００２９】
また、本発明に用いる筒状テープ４は、直線状に形成する以外に、円弧状に形成することができる。すなわち、この筒状テープ４に円弧状の芯材を挿入してカップ１下縁部に縫合する場合（図１参照）、芯材の形状に合わせて筒状テープ４自身も円弧状に形成しておくと、芯材の挿入作業が容易となり、きれいな仕上がりとなる。
【００３０】
筒状テープ４を円弧状に形成する場合は、編み立て時に、左右方向に並ぶ経糸にかける張力を、左右方向の一端側と他端側とで異なるように設定する。すなわち、その編み立て構造の平面的な模式図である図１１に示すように、左右方向に並ぶ経糸３０のうち、例えば図において最も左側に位置する経糸３０ａと、その隣の経糸３０ｂと、さらにその隣の経糸３０ｃに対し、他の経糸３０よりも強い張力を与え、しかもその張力が左側にいくほど強い張力となるよう設定する。この状態で編み立てると、経糸が強く引っ張られた状態で緯挿入糸３１が編み込まれるため、この部分の編み密度が高くなり、編み立て後の収縮工程において、収縮率が小さくなる。このため、筒状テープ４全体として、左縁部の収縮率が小さく、右縁部の収縮率が大きくなり、その収縮率の差によって、筒状テープ４全体が円弧状にカーブするようになるのである。
【００３１】
ただし、経糸は、二重編み部となるべき経糸が前後に２本、一重編み部となるべき経糸が１本、合計３本が前後に並ぶ配置で編み立てられるため、いずれの経糸についても、上記のような張力設定にすることが望ましい。そして、このような張力調整に供せられる経糸の本数は、筒状テープ４の幅寸法や得ようとする円弧形状の曲率半径等に応じて適宜に設定される。なお、図１１において、緯挿入糸３１の左側にはみ出した部分Ｓは、この部分の緯挿入糸３１を互いにからませ、他の緯挿入糸（図示せず）を導入することによってみみ部となる部分である。
【００３２】
また、上記のように、編地を構成するために準備される経糸に対して張力調整を行うのではなく、図１１において鎖線で示すように、本来の経糸とは別に、張力調整用に、高弾性糸（例えばポリウレタン芯糸をナイロンでカバリングした糸等）３２を編み込むようにしてもよい。この方式の方が、張力調整がしやすく好適である。
【００３３】
このようにして、筒状テープ４を円弧状にカーブさせる場合、その曲率半径Ｒ′（図１２参照）は、５０〜２００ｍｍとなるよう設定することが好適である。
【００３４】
また、筒状テープ４の幅Ｔは、筒状テープ４が円弧状か直線状かにかかわらず、通常、８〜２０ｍｍ程度に設定される。８ｍｍよりも狭いとワイヤ等を挿入した状態で他の生地と縫合する作業がしにくく、逆に２０ｍｍよりも広いと肌着に取り付けた場合の見栄えが悪いからである。
【００３５】
そして、筒状中央部５（図３参照）の幅は、３〜８ｍｍに設定することが好適である。すなわち、３ｍｍよりも狭いとワイヤ等を挿入しにくく、逆に８ｍｍよりも広いと、ワイヤ等の収まりが悪いからである。また、その両縁部６に形成されるみみ部の幅は、各々１〜５ｍｍに設定することが好適である。すなわち、みみ部が１ｍｍよりも狭いと前述したような縫い代的機能が発揮されにくく、逆に５ｍｍよりも広くても意味がないからである。
【００３６】
さらに、上記両縁部６のみみ部は、筒状テープ４を円弧状に形成する場合、内側にくる方のみみ部の幅を、外側にくる方のみみ部の幅よりも心持ち狭く設定することが好適である。すなわち、その方が、筒状テープ４を他の生地と縫合して得られる製品の見栄えがよくなるからである。通常、その差は、０．１〜２ｍｍに設定される。
【００３７】
なお、本発明に用いる筒状テープ４は、必ずしも上記たて編みで編み立てる必要はなく、上記の同様の編み立てが可能な編み方を用いることができる。
【００３８】
また、上記の例は、本発明をオールインワンに適用したものであるが、本発明は、オールインワンに限らず、各種の芯材入衣料に適用することができる。このような芯材入衣料としては、オールインワン以外に、ブラジャー，ウエストニッパー，ガードル，ボディスーツ，キャミソール等、体型矯正機能を備えた肌着をあげることができる。また、腰部保護のためのコルセットや治療用の各種プロテクター、あるいはスポーツ用のプロテクター付衣料等をあげることができる。さらに、上着や帽子等に、芯材入筒状テープ４を部分的に縫合し、従来にない斬新なデザインの衣料を得ることができる。
【００３９】
そして、本発明において、筒状テープ４に挿通する芯材としては、従来から用いられている各種の金属ワイヤ，プラスチックワイヤ，鯨の髭等、どのようなものを用いても差し支えはない。また、これを適用する衣料において、用いる生地等についても何ら制限はない。
【００４０】
つぎに、実施例について説明する。
【００４１】
〔筒状テープａの準備〕
編み機として、経編ラッセル（カールマイヤ社製）のものを用い、ナイロン糸（１００デニール，収縮率５０％）とナイロンウール糸（１００デニール，収縮率５０％）を引き揃えたものを縦糸および緯挿入糸として用い、編み速度８００ｒｐｍで編み立てることにより、ゲージ１４、段数１２の筒状テープ中間品を得た。これを１００℃×１０分の加熱処理により収縮させて、図３に示すような筒状テープａを得た。このものの面積収縮率は９５％であった。
【００４２】
〔筒状テープｂの準備〕
上記と同様にして筒状テープ中間品を得た。これをシクロヘキサンに３分間浸漬して収縮させたのち乾燥し、図３に示すような筒状テープｂを得た。このものの面積収縮率は９３．３％であった。
【００４３】
上記筒状テープａ，ｂに、実際にステンレスワイヤ（直径１．５ｍｍ）を挿入し、図１に示すようなオールインワンに縫合したところ、ワイヤ挿入作業およびミシン掛けによる縫合作業が簡単で、作業効率が大幅に短縮された。そして、上記２種類のオールインワンを、専門モニター１０名に試着させたところ、１０名とも、良好な着用感と体型矯正効果があると評価した。そして、上記オールインワンはどちらも長期にわたって良好に使用することができた。
【００４４】
【発明の効果】
以上のように、本発明の芯材入衣料は、筒状テープとして、高収縮糸を未収縮の状態で編成し加熱もしくは薬品処理により収縮させて編み目を緻密化してなるものを用いているため、筒状テープ縫合部分が、着用感および見栄えに優れている。したがって、衣料の目立つ個所に上記筒状テープ（芯材入）を多用しても着用感や外観に支障がない。そして、上記筒状テープの編み目が緻密になっているため、芯材を挿入した部分において、長期にわたって芯材を良好に保護することができる。しかも、芯材の肌への当たりが柔らかで良好である。また、筒状テープの長手方向に沿う中央部が中空の筒状に形成され、両縁部がみみ部に形成されているため、芯材を挿通した状態で筒状テープを生地に縫合する場合、中央部が芯材の厚み分だけ膨らんで突出しても、みみ部は平面状態を保っている。したがって、上記平たいみみ部を縫い代として、ミシン掛けを容易に行うことができる。しかも、上記みみ部が、従来のテープのように縫製によって形成された縁部ではないため、ぼこぼこ盛り上がっておらず、平面的ですっきりした外観となる。
【００４５】
また、テープ全体を円弧状に曲成した筒状テープを用いたものは、カーブしたワイヤ等を挿入した状態で他の生地と縫合する場合、その縫合作業をより効率よく行うことができるという利点を有する。
【図面の簡単な説明】
【図１】本発明をオールインワンに適用した一実施例の正面図である。
【図２】上記実施例に用いる筒状テープの説明図である。
【図３】上記筒状テープと生地との縫合状態の説明図である。
【図４】上記筒状テープの製造に用いることのできる装置の部分的な説明図である。
【図５】（ａ）は従来のたて編み機の組織図、（ｂ）は上記実施例に用いられる筒状テープの編み構造の模式的な縦断面図である。
【図６】上記筒状テープに用いられるファンシー・ヤーンの構成の説明図である。
【図７】上記筒状テープの片面を起毛する場合の装置の部分的な説明図である。
【図８】上記筒状テープが伸縮性を有する場合に、その伸縮性を抑制する方法の説明図である。
【図９】上記伸縮性抑制に用いられる装置の説明図である。
【図１０】ワイヤを縫い込んだ従来のブラジャーの説明図である。
【図１１】前記実施例に用いられる筒状テープの編み構造の模式的な平面図である。
【図１２】上記筒状テープを円弧状に形成した状態の説明図である。
【符号の説明】
１  カップ
４  筒状テープ
【図１】
0003781839.tif 000002
【図２】
0003781839.tif 000003
【図３】
0003781839.tif 000004
【図４】
0003781839.tif 000005
【図５】
0003781839.tif 000006
【図６】
0003781839.tif 000007
【図７】
0003781839.tif 000008
【図８】
0003781839.tif 000009
【図９】
0003781839.tif 000010
【図１０】
0003781839.tif 000011
【図１１】
0003781839.tif 000012
【図１２】
0003781839.tif 000013